(57)【要約】【課題】可動部材に精度の高い加工技術を必要とせず、且つ、より軽量で動作安定性の高いソレノイドバルブを提供する。【解決手段】固定鉄心１２と、ソレノイドコイル１３と、流路３ａを備えたノズル部３と、流路３ａを閉鎖するための弁体６と、ソレノイドコイル１３への通電状態に基づいて弁体６で流路３ａを閉鎖する第１姿勢と、流路３ａを開放する第２姿勢との間で変位操作される可動部材と、を有し、可動部材が第１姿勢と第２姿勢との間で揺動操作される揺動部材５からなり、揺動部材５の一端に固定鉄心１２に電磁吸着されることで第１姿勢を実現する被吸着部５ａが備えられ、揺動部材５の他端に流路３ａを閉鎖する弁体６が設けられているソレノイドバルブとした。【選択図】図１
2009063119.tif 000002
【特許請求の範囲】
【請求項１】
軸芯に沿って延びた固定鉄心と、
前記固定鉄心の外周に配置されたソレノイドコイルと、
流路を備えたノズル部と、
前記ノズル部の流路を閉鎖するための弁体と、
前記弁体を支持しつつ、前記ソレノイドコイルへの通電状態に基づいて、前記弁体によって前記流路を閉鎖する第１姿勢と、前記流路を開放する第２姿勢との間で変位操作される可動部材と、を有するソレノイドバルブであって、
前記可動部材が前記第１姿勢と前記第２姿勢との間で揺動軸芯を介して揺動操作されるように支持された揺動部材からなり、
前記揺動部材の一端に、前記ソレノイドコイルへの通電に基づいて前記固定鉄心に電磁吸着されることで前記第１姿勢を実現する被吸着部が備えられ、
前記揺動軸芯を挟んで前記一端と反対側の他端に、前記第１姿勢において前記流路を閉鎖する前記弁体が設けられているソレノイドバルブ。
【請求項２】
前記弁体は、前記第１姿勢において前記ノズル部の一端に弾性的に押付けられる弾性部材からなり、前記ソレノイドコイルへの通電解除に応じて、前記揺動部材を前記第２姿勢に切り替える付勢手段を兼ねている請求項１に記載のソレノイドバルブ。
【請求項３】
前記弁体が、前記可動部材に形成された貫通孔に嵌合される円筒状の被係止部と前記被係止部の一端を閉じる底面部とを一体的に備え、前記揺動部材の前記第１姿勢では、前記底面部の中心部が前記ノズル部に押付けられる請求項２に記載のソレノイドバルブ。
【請求項４】
前記揺動部材は、前記ソレノイドコイルの側方に立設された板状部材の上端面に、前記板状部材の先端に形成された凸状部が前記揺動部材に形成されたスリットに挿通される状態で枢支されており、前記凸状部が前記スリットから抜け出すのを規制する抜け止め部がソレノイドバルブのハウジングに設けられている請求項１から３のいずれか一項に記載のソレノイドバルブ。
【請求項５】
前記流路の前記弁体と接する端部にオリフィス部が形成されている請求項１から４のいずれか一項に記載のソレノイドバルブ。
【請求項６】
前記ノズル部が外周に突起部を備えたノズル部材からなり、ソレノイドバルブのハウジングに、前記ノズル部材の前記流路に沿った圧入操作によって前記突起部と係合される係合爪が設けられている請求項１から５のいずれか一項に記載のソレノイドバルブ。
【請求項７】
前記ソレノイドコイルに給電するための手段として、直線状に延びた端子本体を有する端子部材が設けられており、前記端子本体の一部から、前記ソレノイドコイルを構成する導線を接合するための被接合部が前記軸芯と交差する向きに一体的に延出しており、
前記ソレノイドコイルのボビンの一端から径方向に延びたフランジに、前記端子本体を前記軸芯に沿って係入可能な受入れ孔、及び、前記受入れ孔と連通し且つ前記径方向に延びた嵌合溝が形成されており、
前記端子本体の一部が前記受入れ孔に係入された状態で、前記被接合部を前記嵌合溝内に圧入することによって、前記端子部材は前記ボビンに固定されるように構成されている請求項１から６のいずれか一項に記載のソレノイドバルブ。
【発明の詳細な説明】
【技術分野】
【０００１】
本発明は、軸芯に沿って延びた固定鉄心と、固定鉄心の外周に配置されたソレノイドコイルと、流路を備えたノズル部と、前記流路を閉鎖するための弁体と、弁体を支持しつつ、ソレノイドコイルへの通電状態に基づいて、弁体によって前記流路を閉鎖する第１姿勢と、前記流路を開放する第２姿勢との間で変位操作される可動部材と、を有するソレノイドバルブに関する。
【背景技術】
【０００２】
この種のソレノイドバルブに関連する先行技術文献情報として下記に示す特許文献１がある。この特許文献１に記されたソレノイドバルブでは、可動部材がソレノイドコイルの円筒状のボビンの内面に沿って摺動移動可能な可動鉄心という形態で設けられている。この可動鉄心の一端に前記流路を閉鎖するための弁体が取り付けられている。ノズル部は固定鉄心によって構成されている。可動鉄心とノズル部との間には、可動鉄心を第２姿勢に向けて付勢するためのコイルバネが配置されている。ソレノイドコイルへの通電に基づいて、可動鉄心と固定鉄心の双方が磁化され、ソレノイドコイルの外側を通り、可動鉄心から固定鉄心（ノズル部）へと連続的に延びる磁束が形成される。この磁束が可及的に短くなるように、可動鉄心が固定鉄心であるノズル部に近接した第１姿勢へと電磁吸着されるため、ノズル部に向かって近接される弁体によって流路が閉鎖される。ソレノイドコイルへの通電が解除されると、コイルバネの付勢力によって可動鉄心が第２姿勢に復帰されるため、流路が開放される。
【０００３】
【特許文献１】特開２００６−２９３６２号公報（段落番号００１４、００１６、図１、図２）
【発明の開示】
【発明が解決しようとする課題】
【０００４】
しかし、特許文献１に記されたソレノイドバルブでは、可動鉄心をボビンの内面に沿ってガタツキ無く円滑に摺動支持させるために、可動鉄心（可動部材）とボビンとに精度の高い加工技術が必要であった。また、ノズル部は、可動鉄心を電磁吸着するための固定鉄心を兼ねているために、必然的に磁性体で構成することとなるため質量が大きくならざるを得なかった。また、固定鉄心を兼ねたノズル部は可動部材と同軸上に配置する必要があった。さらに、もしも可動鉄心とノズル部との間にコイルバネの一部が挟み付けられた場合、可動鉄心のノズル部への十分な近接が阻まれ、弁体による確実な閉鎖が得られない虞があった。
【０００５】
そこで、本発明の目的は、上に例示した従来技術によるソレノイドバルブの持つ欠点に鑑み、可動部材に精度の高い加工技術を必要としないソレノイドバルブを提供することにある。
【０００６】
本発明の他の目的はできるだけ軽量且つコンパクトなソレノイドバルブを提供することにある。
本発明のさらに他の目的はノズル部の設置位置を制約され難いソレノイドバルブを提供することにある。
本発明のさらに他の目的は動作の安定性に優れたソレノイドバルブを提供することにある。
【課題を解決するための手段】
【０００７】
本発明の第１の特徴構成は、
軸芯に沿って延びた固定鉄心と、
前記固定鉄心の外周に配置されたソレノイドコイルと、
流路を備えたノズル部と、
前記ノズル部の流路を閉鎖するための弁体と、
前記弁体を支持しつつ、前記ソレノイドコイルへの通電状態に基づいて、前記弁体によって前記流路を閉鎖する第１姿勢と、前記流路を開放する第２姿勢との間で変位操作される可動部材と、を有するソレノイドバルブであって、
前記可動部材が前記第１姿勢と前記第２姿勢との間で揺動軸芯を介して揺動操作されるように支持された揺動部材からなり、
前記揺動部材の一端に、前記ソレノイドコイルへの通電に基づいて前記固定鉄心に電磁吸着されることで前記第１姿勢を実現する被吸着部が備えられ、
前記揺動軸芯を挟んで前記一端と反対側の他端に、前記第１姿勢において前記流路を閉鎖する前記弁体が設けられている点にある。
【０００８】
本発明の第１の特徴構成によるソレノイドバルブでは、可動部材を、第１姿勢と第２姿勢との間で揺動操作される揺動部材で構成すれば良く、ボビンの内面に沿って摺動変位される可動鉄心の形態で設ける必要がないので、可動鉄心（可動部材）とボビンの内面などへの高精度の加工が不要となり、製造コストが抑制された。また、揺動部材が、固定鉄心による被吸着部の吸着に基づいて第１姿勢を取る構成なので、ノズル部を質量の大きな磁性体とする必要がなくなり、軽量なソレノイドバルブが得られた。また、ノズル部を可動部材と同軸上に配置する必要がなくなったので設計自由度が高くなった。
【０００９】
本発明の他の特徴構成は、前記弁体が、前記第１姿勢において前記ノズル部の一端に弾性的に押付けられる弾性部材からなり、前記ソレノイドコイルへの通電解除に応じて、前記揺動部材を前記第２姿勢に切り替える付勢手段を兼ねている点にある。
【００１０】
本構成であれば、弾性部材からなる弁体によってノズル部の流路の閉鎖が確実に実現でき、しかも、この弁体が揺動部材（可動部材）を第２姿勢に切り替える付勢手段を兼ねているので、可動部材を第２姿勢に向けて付勢する手段を弁体と別に設ける必要がない。さらに、付勢手段としてのコイルバネを可動部材とノズル部との間に必要としないので、動作の安定性が高められた。
【００１１】
本発明の他の特徴構成は、前記弁体が、前記可動部材に形成された貫通孔に嵌合される円筒状の被係止部と前記被係止部の一端を閉じる底面部とを一体的に備え、前記揺動部材の前記第１姿勢では、前記底面部の中心部が前記ノズル部に押付けられる点にある。
【００１２】
本構成であれば、弁体は円筒状の被係止部が可動部材の貫通孔内に嵌合されることで安定した形で係止されるので、弁体を可動部材に取り付けるためのネジや接着剤が不要となる。また、第１姿勢では、円筒状の被係止部の一端を閉じる底面部の中心部がノズル部に押付けられるので、底面部の中心部をノズル部に押付ける張力が底面部の全周から働き、非常に安定した形態で流路が確実に閉鎖される。
【００１３】
本発明の他の特徴構成は、前記揺動部材は、前記ソレノイドコイルの側方に立設された板状部材の上端面に、前記板状部材の先端に形成された凸状部が前記揺動部材に形成されたスリットに挿通される状態で枢支されており、前記凸状部が前記スリットから抜け出すのを規制する抜け止め部がソレノイドバルブのハウジングに設けられている点にある。
【００１４】
本構成であれば、板状部材の上端面に、同板状部材の先端に形成された凸状部が揺動部材に形成されたスリットに挿通される状態で枢支されているだけの、ハウジングまたは揺動部材から側方に延出したシャフトなどを持たない、非常に簡単な枢支構造なので部品の加工費が安く、組立ても非常に簡単である。また、このように簡単な構造であっても、ハウジングに設けられた抜け止め部の作用により、上下反転姿勢などを含む任意の姿勢で使用されても、揺動部材と板状部材の間の係合関係が失われることはなく、可動部材を第１姿勢と第２姿勢との間で変位可能に枢支した状態が保持される。
【００１５】
本発明の他の特徴構成は、前記流路の前記弁体と接する端部にオリフィス部が形成されている点にある。
【００１６】
本構成であれば、流路内の流体から弁体に加えられる圧力が小さくなるので、ノズル部に対する弁体からの押付け力が比較的小さめでも確実な閉鎖が可能となる。
【００１７】
本発明の他の特徴構成は、前記ノズル部が外周に突起部を備えたノズル部材からなり、ソレノイドバルブのハウジングに、前記ノズル部材の前記流路に沿った圧入操作によって前記突起部と係合される係合爪が設けられている点にある。
【００１８】
本構成であれば、ノズル部材をハウジングの対応箇所に向けて流路に沿って圧入するだけという簡単な操作で、ノズル部材の突起部がハウジングの係合爪に係合されて、ノズル部材のハウジングへの確実な組み付けが完了する。したがって、ノズル部の基端部に設けた雄ネジ部をハウジングの雌ネジ部に捩じ込むことでノズル部をハウジングに取り付ける構成などに比して組み付け作業が容易である。
【００１９】
本発明の他の特徴構成は、前記ソレノイドコイルに給電するための手段として、直線状に延びた端子本体を有する端子部材が設けられており、前記端子本体の一部から、前記ソレノイドコイルを構成する導線を接合するための被接合部が前記軸芯と交差する向きに一体的に延出しており、
前記ソレノイドコイルのボビンの一端から径方向に延びたフランジに、前記端子本体を前記軸芯に沿って係入可能な受入れ孔、及び、前記受入れ孔と連通し且つ前記径方向に延びた嵌合溝が形成されており、
前記端子本体の一部が前記受入れ孔に係入された状態で、前記被接合部を前記嵌合溝に圧入することによって、前記端子部材は前記ボビンに固定されるように構成されている点にある。
【００２０】
本構成であれば、ソレノイドコイルを構成する導線の遊端を、端子部材から垂直方向などに延出した被接合部に直接接合できる。したがって、ソレノイドコイルを構成する導線の遊端から端子部材までを橋渡しするためのリード線が不要となる。同時に、このようなリード線と端子部材との接合を保護するための保護チューブも不要となる。
また、端子部材の被接合部を嵌合溝内に圧入するだけで、端子部材の軸芯方向への抜け出しが規制され、且つ、端子部材の揺動も端子本体の受入れ孔への部分係入によって規制されるので、端子部材のボビンへの固定操作が簡単にできる。
【００２１】
以上のように、本発明の医療装置用ソレノイドバルブ（電磁弁）は、上述の効果があるため、医療装置、たとえば自動血圧計における空気の定速かつ微速排気弁に用いることができる。特に、カフ容量が小さい指用血圧計、手首用血圧計、耳式血圧計に好適に適用される。また、上腕用の血圧計（特にカフと本体が一体化された一体型血圧計）にも適用できる。また、他の医療装置、例えば足首用携帯型エアマッサージ装置の排気弁，酸素濃縮装置の呼吸同調器（デマンド弁）、自動腹膜透析装置のクランプ機構を形成するエアシリンダの排気弁等に好適に適用できる。
【発明を実施するための最良の形態】
【００２２】
以下に本発明による最良の実施形態について図面を参照しながら説明する。
ここでは、本発明によるソレノイドバルブを、被験者の腕などの被検部に巻かれるカフ（圧迫帯）を備えた自動血圧計の一部をなす装置として用いる場合に即して解説する。この場合、ソレノイドバルブは、ポンプによってカフに送り込まれた圧縮空気を血圧測定後などに一気に開放する作用を果たす。
【００２３】
但し、本発明によるソレノイドバルブは、血圧計に限らず、流体の流量制御が必要な種々の機器、特に各種医療装置に対して広く適用可能である。
【００２４】
（第１実施形態）
図１から図３に示すソレノイドバルブ１は、樹脂製のハウジング２を備え、ハウジング３２には、概してＬ字状の断面を備えた空洞部が一方の側方から他方の側方に向かって貫通形成されている。前記空洞部は図１の上下に延びた第１空洞部２Ｖａと、第１空洞部２Ｖａの上端付近から横向きに延びた第２空洞部２Ｖｂとを有する。ハウジング２の外側には、排気（開放空気）のための流路３ａを備えたノズル部材３が取り付けられ、流路３ａの基端部は第２空洞部２Ｖｂと連通している。第２空洞部２Ｖｂには流路３ａを閉鎖するための弁体６が設けられており、第１空洞部２Ｖａには、弁体６が流路３ａを閉じた状態と開放した状態との間で切り換えるためのソレノイド部１０が設けられている。ノズル部材３は、図の下方に延出した雄ネジ部３ｂを介してハウジング２に螺合固定されている。
【００２５】
ソレノイド部１０は、軸芯Ｘに沿って延びた固定鉄心１２と、固定鉄心１２を選択的に磁化させるソレノイドコイル１３と、ソレノイドコイル１３によって形成される磁界を収束するためのヨーク２０とを有する。ソレノイドコイル１３は、固定鉄心１２の外周面に外嵌配置されたボビン１４と、ボビン１４の円筒部１４ａにコイル状に巻回された導線１５と、導線１５に給電するための給電部１６とを有する。
【００２６】
弁体部４は、ソレノイドコイル１３の側方に立設された板状部材２１の上端面によって枢支された揺動部材５（可動部材）を有する。揺動部材５は板状部材２１の面内に形成される揺動軸芯Ｙ（図３を参照）を介して揺動可能に支持されている。揺動部材５の一端には、ソレノイドコイル１３への通電に基づいて磁化される固定鉄心１２の上端に吸着される被吸着部５ａが設けられている。被吸着部５ａが固定鉄心１２の上端に吸着されることで、揺動部材５は図１（ａ）に示す第１姿勢となる。
【００２７】
揺動中心を挟んで被吸着部５ａと反対側に相当する揺動部材５の他端付近には円形の貫通孔５ｂが形成されている。更に、揺動部材５の前記他端付近には、この貫通孔５ｂを覆うように弁体６が支持されている。弁体６は、一辺を２本のネジ７によって揺動部材５に固定された、厚さが約１ｍｍで概して矩形のゴム板（弾性部材の一例）からなる。
【００２８】
被吸着部５ａが固定鉄心１２の上端に吸着された第１姿勢では、図１（ａ）に示すように、弁体６がノズル部材３の雄ネジ部３ａの下端面に押付けられることで、ノズル部材３の流路３ａが閉鎖される。この時、弁体６は中央部が下方に突出した状態に弾性的に変形されている。
【００２９】
ソレノイドコイル１３への通電が解除されると、固定鉄心１２の磁化及び被吸着部５ａの吸着が実質的に無くなるので、図１（ｂ）に示すように、突出部の無い平坦な形状に復帰しようとする弁体６（付勢手段の一例）の弾性復元力、及び、（血圧計のカフに圧縮空気が存在する場合には）カフから開放される空気の圧力によって、揺動部材５は第２姿勢に切り換えられる。弁体６が雄ネジ部３ｂの下端面に押付けられた状態が解消されるので、ノズル部材３の流路３ａが開放される。
【００３０】
図１及び図３に示すように、揺動部材５を支持する板状部材２１は、軸芯Ｘと略平行に延びるように、ヨーク２０とハウジング２との間に挟着固定されている。板状部材２１の上端中央部には、上方に突出しる凸状部２１ａが段状に形成されている。揺動部材５の中央には凸状部２１ａの幅に匹敵する長さのスリット５ｃが形成されている。図２に示すように、揺動部材５は、凸状部２１ａがスリット５ｃに挿通される状態で、凸状部２１ａの左右に直線状に延びた一対の肩部２１ｂ上に支持されている。ハウジング２の空洞部２ａの内面からは断面が楔状の保持突起２ｂが下向きに延びている。保持突起２ｂは、ソレノイドバルブ１の姿勢と無関係に、例えばソレノイドバルブ１が図の状態に対して上下反転された姿勢で用いられた場合でも、凸状部２１ａがスリット５ｃから抜け出すのを規制する抜け止め部を構成している。
【００３１】
給電部１６は、クランク状に曲げ加工された一対の薄板状の端子１７、端子１７にハンダなどで接合されたリード線１８、両者の接合部を保護する保護チューブ１９とからなる。端子１７はボビン１４の下端から径方向に突出した下方フランジ部１４ｂの溝に押し嵌めによって係止されている。保護チューブ１９は素材の熱収縮性に基づいて端子１７とリード線１８の境界部付近をシール状に被覆している。
【００３２】
上記のソレノイドバルブ１は例えば図３に例示するように以下の手順で組立てることができる。
（１）ボビン１４の円筒部１４ａに導線１５を巻回してソレノイドコイル１３を形成する。
（２）ソレノイドコイル１３が支持されたボビン１４をヨーク２０に載置し、ボビン１４の円筒部１４ａに固定鉄心１２を挿通して、固定鉄心１２の下端をヨーク２０の貫通孔２０ａに挿通後、カシメ締結する。
（３）一対のクランク形状の端子１７をボビン１４の下方フランジ部１４ｂに押し嵌めし、各端子１７の上端付近に導線１５の両端をハンダで溶接する。引き続き、端子１７の下端にリード線１８をハンダで溶接し、熱収縮性の保護チューブ１９を端子１７とリード線１８との溶接箇所に被せ、保護チューブ１９を加熱することで熱収縮によって同溶接箇所をシール状に被覆させる。
（４）揺動部材５の上面に弁体６をネジ７と接着剤とで固定し、揺動部材５を板状部材２１の上端に載置する。この時、板状部材２１の凸状部２１ａを揺動部材５のスリット５ｃに挿通させ、揺動部材５の下面が、板状部材２１の凸状部２１ａの左右にある肩部２１ｂ上に支持されるようにする。
（５）揺動部材５と板状部材２１とからなるアセンブリを、ソレノイドコイル１３のアセンブリと共にハウジング２の空洞部２ａに側面から押し嵌めによって収納する。この時、板状部材２１がソレノイドコイル１３のヨーク２０とハウジング２の内壁との間に挟着固定されるようにする。
（６）ノズル部材３をハウジング２に螺合させる。
【００３３】
前述したように、ノズル部材３は、雄ネジ部３ｂを介してハウジング２に螺合固定されていることを利用して、ノズル部材３のハウジング２に対する螺合長さを調整できるように構成すれば、弁体６の雄ネジ部３ａの下端面の高さ位置を、弁体６の上下位置や弾性特性などに適した位置となるように微調整することが可能である。この場合、ノズル部材３のハウジング２に対する螺合長さを正確に調整するために、ノズル部材３の中間に設けられたフランジ部の下面に適当な厚さのリング状の金属製シム等を配置すれば良い。
【００３４】
（第２実施形態）
図４〜図６に示すソレノイドバルブ３１は、樹脂製のハウジング３２を備える。ハウジング３２には、概してＬ字状の断面を備えた空洞部が一方の側方から他方の側方に向かって貫通形成されている。この空洞部は図４の上下に延びた第１空洞部３２Ｖａと、第１空洞部３２Ｖａの上端付近から横向きに延びた第２空洞部３２Ｖｂとを有する。ハウジング３２の外側には、排気（開放空気）のための流路３３ａを備えたノズル部材３３が取り付けられ、流路３３ａの基端部は第２空洞部３２Ｖｂと連通している。第２空洞部３２Ｖｂには流路３３ａを閉鎖するための弁体３６が設けられており、第１空洞部３２Ｖａには、弁体３６が流路３３ａを閉じた状態と開放した状態との間で切り換えるためのソレノイド部４０が設けられている。ノズル部材３３は、ハウジング３２の上面に形成された一対の爪部３２ｃを介してハウジング３２に固定されている。
【００３５】
ソレノイド部４０は、軸芯Ｘに沿って延びた固定鉄心４２と、固定鉄心４２を選択的に磁化させるソレノイドコイル４３と、ソレノイドコイル４３によって形成される磁界を収束するためのヨーク５０とを有する。ソレノイドコイル４３は、固定鉄心４２の外周面に外嵌配置されたボビン４４と、ボビン４４の円筒部４４ａにコイル状に巻回された導線４５と、導線４５に給電するための給電部４６とを有する。
【００３６】
弁体部３４は、ソレノイドコイル４３の側方に立設された板状部材５１の上端面によって枢支された揺動部材３５（可動部材）を有する。揺動部材３５は板状部材５１の面内に形成される揺動軸芯Ｙ（図３を参照）を介して揺動可能に支持されている。揺動部材３５の一端には、ソレノイドコイル４３への通電に基づいて磁化される固定鉄心４２の上端に吸着される被吸着部３５ａが設けられている。被吸着部３５ａが固定鉄心４２の上端に吸着されることで、揺動部材３５は図４（ａ）に示す第１姿勢となる。
【００３７】
揺動中心を挟んで被吸着部３５ａと反対側に相当する揺動部材３５の他端付近には円形の貫通孔３５ｂが形成されている。この貫通孔３５にはゴム製の弁体３６が係止されている。弁体３６は、揺動部材３５の貫通孔３５ｂに下方から嵌合される円筒状の被係止部３６ａと、被係止部３６ａの上端部を閉じる平坦な円盤状の底面部３６ｂと、被係止部３６ａの下端部から径方向外向きに延びたフランジ部３６ｃとを一体的に備えている。揺動部材３５の第１姿勢では、底面部３６ｂの中心部がノズル部材３３に押付けられる。
【００３８】
被吸着部３５ａが固定鉄心４２の上端に吸着された第１姿勢では、図４（ａ）に示すように、弁体３６の底面部３６ｂがノズル部材３３の下端面に押付けられることで、ノズル部材３３の流路３３ａが閉鎖される。この時、弁体３６の底面部３６ｂは中央部が下方に突出した状態に弾性的に変形されている。尚、ノズル部材３３の流路３３ａの内部には、流路３３ａの上端の流入口に比して内径が約０．３ｍｍと非常に小さいオリフィス３３ｂが形成されており、このオリフィス３３ｂは、弁体３６が押付けられる流路３３ａの下端部まで連続しているので、ノズル部材３３に対する弁体３６からの押付け力が比較的小さめでも確実な閉鎖が可能となる。
【００３９】
ソレノイドコイル４３への通電が解除されると、固定鉄心４２の磁化及び被吸着部３５ａの吸着が実質的に無くなるので、図４（ｂ）に示すように、突出部の無い平坦な形状に復帰しようとする弁体３６（付勢手段の一例）の底面部３６ｂの弾性復元力、及び、（血圧計のカフに圧縮空気が存在する場合には）カフから開放される空気の圧力によって、揺動部材３５は第２姿勢に切り換えられる。弁体３６がノズル部材３３の下端面に押付けられた状態が解消されるので流路３３ａが開放される。
【００４０】
揺動部材３５を支持する板状部材５１は、軸芯Ｘと略平行に延びるように、ヨーク５０とハウジング３２との間に挟着固定されている。板状部材５１の上端中央部には、上方に突出しる凸状部５１ａが段状に形成されている。揺動部材３５の中央には凸状部５１ａの幅に匹敵する長さのスリット３５ｃが形成されている。揺動部材３５は、凸状部５１ａがスリット３５ｃに挿通される状態で、凸状部５１ａの左右に直線状に延びた一対の肩部５１ｂ上に支持されている。ハウジング３２の空洞部３２ａの内面からは断面が楔状の保持突起３２ｂが下向きに延びている。保持突起３２ｂは、ソレノイドバルブ１の姿勢と無関係に、例えばソレノイドバルブ３１が図の状態に対して上下反転された姿勢で用いられた場合でも、凸状部５１ａがスリット３５ｃから抜け出すのを規制する抜け止め部を構成している。
【００４１】
給電部４６は、Ｌ字状に曲げ加工された一対の棒状の端子部材４８を有する。棒状の端子４８はボビン４４の下端から径方向に突出した下方フランジ部４４ｂの溝に押し嵌めによって係止されている。より具体的には、端子部材４８は、直線状に延びた端子本体４８ａと、端子本体４８ａの上端から直角に一体的に延出した被接合部４８ｂとからなる。
【００４２】
ソレノイドコイル４３のボビン４４の下方フランジ部４４ｂには、端子本体４８ａを軸芯Ｘに沿って係入可能な受入れ孔４４ｅ、及び、受入れ孔４４ｅと連通し且つ径方向に延びた嵌合溝４４ｆが形成されている。端子部材４８の端子本体４８ａを下方フランジ部４４ｂの受入れ孔４４ｅに上方から挿通し、引き続き、端子部材４８の被接合部４８ｂを嵌合溝４４ｆ内に圧入するだけで、端子部材４８のボビン４４への固定が完了する。ソレノイドコイル４３を構成する導線４５は被接合部４８ｂの先端部または中間部に直接溶接される。嵌合溝４４ｆと被接合部４８ｂとの間の係合に基づいて、端子部材４８の軸芯Ｘに沿った抜け出し、及び、端子部材４８の受入れ孔４４ｅ内での回動が規制される。
【００４３】
上記のソレノイドバルブ３１は例えば以下の手順で組立てることができる。
（１）ボビン４４の円筒部４４ａに導線４５を巻回してソレノイドコイル４３を形成する。
（２）端子部材４８の端子本体４８ａを下方フランジ部４４ｂの受入れ孔４４ｅに上方から挿通し、端子部材４８の被接合部４８ｂを嵌合溝４４ｆ内に圧入することで、一対の端子部材４８をボビン４４へ固定する。導線４５の両端を被接合部４８ｂに溶接する。
（３）ソレノイドコイル４３が支持されたボビン４４の円筒部４４ａに固定鉄心４２を挿通して、固定鉄心４２の下端をヨーク５０の貫通孔５０ａに挿通後、カシメ締結する。
【００４４】
（４）揺動部材３５の貫通孔３５に弁体３６の被係止部３６ａを嵌着する。
（５）揺動部材３５を板状部材５１の上端に載置する。この時、板状部材５１の凸状部５１ａを揺動部材３５のスリット３５ｃに挿通させ、揺動部材３５の下面が、板状部材５１の凸状部５１ａの左右にある肩部５１ｂ上に支持されるようにする。
【００４５】
（６）揺動部材３５と板状部材５１とからなるアセンブリをハウジング３２の空洞部３２ａに側面から収納する。
（７）ソレノイドコイル４３のアセンブリをハウジング３２の空洞部３２ａに側面から押し嵌めする。この時、先に収納されている板状部材５１がヨーク５０とハウジング３２の内壁との間に挟着固定されるようにする。
【００４６】
（８）ノズル部材３３をハウジング３２に取り付ける。ノズル部材３３の下端付近には平面視で概して矩形のフランジ３３ｃ（突起部の一例）が形成されている。ハウジング３２にはフランジ３３ｃと係合可能な一対の係合爪３２ｃが設けられている。係合爪３２ｃの上端面は中心部に向かって次第にハウジング３２の本体に近付く傾斜面３２ｄを備えている。ノズル部材３３を流路３３ａに沿って下向きに圧入操作すると、フランジ３３ｃは傾斜面３２ｄを乗り越え、係合爪３２ｃと係合した固定状態が得られる。
【００４７】
第２実施形態によるソレノイドバルブ３１のハウジング３２は、側面視において概して矩形の外形を有する第１実施形態によるソレノイドバルブ１のハウジング２と異なり、第２空洞部３２Ｖｂの下方に位置する部位が部分的に削ぎ落とされることで、対応する空洞部の輪郭に類似した概してＬ字状の断面を備えて、コンパクト化がなされている。
また、第２実施形態によるソレノイドバルブ３１は、ハウジング３２を図示されない関連装置に押付けることで、直線状に延びた端子本体４８ａを関連装置のソケット部などと電気的に接続させる、という用い方が可能となっている。
【００４８】
（適用例）
第１及び第２実施形態で説明したソレノイドバルブ（電磁弁）１，３１の医療装置への適用例の一つを図７に示す。図７（ａ）は、ソレノイドバルブ（電磁弁）１，３１を用いた自動血圧計の一例としての手首血圧計１００の外観を示し、図７（ｂ）は、耳式血圧計のカフ装置の外観を示す。また、図８は、ソレノイドバルブ（電磁弁）１，３１を含む自動血圧計の概略ブロック図を示す。
【００４９】
図７（ａ）に示すように、手首血圧計１００は、本体１１０、測定値などの表示部１１１、電源の入り切りなどのためのスイッチ１１２、カフ１１３などを備える。また、図７（ｂ）に示すように、耳式血圧計のカフ装置は、エア配管１２１（必要に応じて信号線も内蔵）、耳部（好ましくは耳珠）を挟むように対向する２つのカフ１１３、滑止部１１３ａ、取手１１３ｂなどを備える。
【００５０】
図８に示すように、これらの自動血圧計は、電源部としての乾電池１２２、カフ（空気袋）１１３に加圧エアを供給するポンプ１１６、カフ１１３のエアを排気するソレノイドバルブ（電磁弁）１，３１、カフ１１３内のエア圧力を検出する圧力センサ１１８、主として圧力センサ１１８の測定値に応じてソレノイドバルブ（電磁弁）１，３１の駆動制御する電磁弁制御回路１１７、装置全体を制御する制御部としてのＣＰＵ１２０、ＣＰＵ１２０に繋がるスイッチ（電源スイッチ）１１２、表示部１１１、ＣＰＵ１２０によって処理される各種プログラムなどを格納するためのＲＯＭ１１５、ＣＰＵ１２０によって処理されるプログラムのワークエリアとして機能するとともに、プログラム処理時に設定入力条件、データ等を一時的に記憶する記憶手段としても機能するＲＡＭ１１４、等によって構成されている。なお、ＣＰＵ１２０は、最高血圧（収縮期血圧）、最低血圧（拡張期血圧）の演算手段も含んでいる。
また、携帯型エアマッサージ装置もほぼ上述の手首血圧計と同様の構成であるが、複数のマッサージパターンをＲＯＭ１１５に記憶させており、選択スイッチでその中から所望のマッサージパターンを選択できるようにしている。
【００５１】
図９は、第１及び第２実施形態で説明したソレノイドバルブ（電磁弁）１，３１の医療装置へのさらに別の適用例の一例として、上記ソレノイドバルブ（電磁弁）１，３１を含む酸素濃縮装置の概略ブロック図を示す。図に示すように、この酸素濃縮装置は、電源部としての電源（ＡＣ電源及び／又はバッテリ）１２２、窒素を選択的に吸着する吸着ユニット１３１、吸着ユニット１３１に圧縮空気を供給するコンプレッサ１３０、９０％以上に濃縮された酸素を蓄える製品タンク１３２、酸素濃度、酸素流量などを測定するジルコニア型又は超音波型センサ１３３、患者の吸気期間に同調して鼻カニューレに濃縮酸素を供給するための呼吸同調器１３４、ソレノイドバルブ（電磁弁）１，３１の駆動を制御する電磁弁制御回路１１７、装置全体を制御するＣＰＵ１２０、ＣＰＵ１２０に繋がるスイッチ（電源スイッチ）１１２や表示部１１１、ＣＰＵ１２０で処理される各種プログラムが格納されているＲＯＭ１１５、ＣＰＵ１２０によって処理されるプログラムのワークエリアとして機能するとともに、プログラム処理時に設定入力条件、データ等を一時的に記憶する記憶手段としても機能するＲＡＭ１１４などを有している。
【図面の簡単な説明】
【００５２】
【図１】本発明の第１実施形態によるソレノイドバルブの破断側面図
【図２】図１のソレノイドバルブの破断平面図
【図３】図１のソレノイドバルブの分解斜視図
【図４】本発明の第２実施形態によるソレノイドバルブの破断側面図
【図５】図４のソレノイドバルブの破断平面図
【図６】図４のソレノイドバルブの分解斜視図
【図７】自動血圧計の要部を示す斜視図
【図８】図７の自動血圧計の構成を示す概略ブロック図
【図９】酸素濃縮装置の構成を示す概略ブロック図
【符号の説明】
【００５３】
１，３１  ソレノイドバルブ
２，３２  ハウジング
２ｂ，３２ｂ  保持突起
３，３３  ノズル部材
３ａ，３３ａ  流路
４，３４  弁体部
５，３５  揺動部材（可動部材）
５ａ，３５ａ  被吸着部
５ｂ，３５ｂ  貫通孔
５ｃ，３５ｃ  スリット
６，３６  弁体（付勢手段）
１０，４０  ソレノイド部
１２，４２  固定鉄心
１３，４３  ソレノイドコイル
１６，４６  給電部
１７  第１端子
１８  第２端子
２１，５１  板状部材
２１ａ，５１ａ  凸状部
２１ｂ，５１ｂ  肩部
３２ｃ  爪部（係合爪）
３３ｂ  オリフィス
３６ａ  被係止部
３６ｂ  底面部
４４ｅ  受入れ孔
４４ｆ  嵌合溝
４８  端子部材
４８ａ  端子本体
４８ｂ  被接合部
【図１】
2009063119.tif 000003
【図２】
2009063119.tif 000004
【図３】
2009063119.tif 000005
【図４】
2009063119.tif 000006
【図５】
2009063119.tif 000007
【図６】
2009063119.tif 000008
【図７】
2009063119.tif 000009
【図８】
2009063119.tif 000010
【図９】
2009063119.tif 000011